(57)【要約】  【課題】  電気機器と双方向無線通信をレスポンス良く行う表示装置を提供する。  【解決手段】  電気機器本体７と双方向無線通信を行う表示装置であって、電気機器本体７から送信される信号を受信して復調するスペクトラム拡散受信部３と、入力装置１４から出力される信号をＦＳＫ変調して電気機器本体７に送信する信号を生成するＦＳＫ送信部６とを備え、電気機器本体７と全二重通信を行う液晶表示装置１。【選択図】      図１
2005244837.tif 000002
【特許請求の範囲】
【請求項１】
電気機器と双方向無線通信を行う表示装置において、
前記電気機器から送信される信号を受信して復調する受信部と、信号を変調して前記電気機器に送信する信号を生成する送信部とを備え、
前記受信部の復調方式と前記送信部の変調方式とが異なるとともに、前記電気機器と全二重通信を行うことを特徴とする表示装置。
【請求項２】
前記電気機器に送信する信号の帯域幅が前記電気機器から送信される信号の帯域幅より狭い請求項１に記載の表示装置。
【請求項３】
前記受信部の復調方式がスペクトラム拡散方式であり、前記送信部の変調方式がＦＳＫ方式である請求項２に記載の表示装置。
【請求項４】
前記受信部の復調方式がスペクトラム拡散方式であり、前記送信部の変調方式がＡＳＫ方式である請求項２に記載の表示装置。
【請求項５】
前記受信部が、前記電気機器から送信される信号を周波数変換する周波数変換部と、前記周波数変換部の出力から前記電気機器に送信する信号の帯域成分を抽出する抽出部と、前記抽出部の出力を反転する反転部と、前記周波数変換部の出力と前記反転部の出力を加算する加算部と、前記加算部の出力を復調する復調部とを有する請求項１〜４のいずれかに記載の表示装置。
【請求項６】
表示装置と双方向無線通信を行う電気機器において、
前記表示装置から送信される信号を受信して復調する受信部と、信号を変調して前記表示装置に送信する信号を生成する送信部とを備え、
前記受信部の復調方式と前記送信部の変方式とが異なるとともに、前記表示装置と全二重通信を行うことを特徴とする電気機器。
【発明の詳細な説明】
【技術分野】
【０００１】
本発明は、表示装置に関し、特に電気機器と双方向無線通信を行う表示装置に関する。
【背景技術】
【０００２】
電気機器と通信を行う従来の表示装置は、電気機器と一方向有線通信を行う表示装置と、電気機器と双方向スペクトラム拡散方式無線通信を行う表示装置とに大別される。
【０００３】
まず、電気機器と一方向有線通信を行う表示装置について図４を参照して説明する。液晶表示装置２０は、ケーブル２１によって電気機器本体２２（ここでは、パーソナルコンピュータ本体とする）に接続される。また、マウスやキーボード等の入力装置２３は、ケーブル２４によって電気機器本体２２に接続される。映像信号はケーブル２１を通って電気機器本体２２から液晶表示装置２０へ送られ、入力装置２３から出力される信号はケーブル２４を通って電気機器本体２２に送られる。
【０００４】
なお、電気機器本体２２がＴＶ本体である場合には、入力装置２３は赤外線リモートコントローラになり、入力装置２３から電気機器本体２２への信号送信は、ケーブル２４を介さず赤外線信号を用いた無線通信によって行われる。
【０００５】
図４に示すような液晶表示装置２０と電気機器本体２２とがケーブル２１で接続されているシステム構成では、可搬性に乏しく、その上ケーブルの引きまわしが場所を占有して作業空間の快適性を阻害するという問題があった。
【０００６】
一方、電気機器と双方向スペクトラム拡散方式無線通信を行う表示装置を用いるシステム構成では上記問題を解消することができる。電気機器と双方向スペクトラム拡散方式無線通信を行う表示装置について図５を参照して説明する。
【０００７】
液晶表示装置２５は、アンテナ２６と、スペクトラム拡散送受信部２７と、入力装置インターフェース部２８と、液晶表示部２９とによって構成されている。また、電気機器本体３０（ここでは、パーソナルコンピュータ本体とする）は、アンテナ３１と、スペクトラム拡散送受信部３２と、制御部３３とによって構成されている。そして、マウスやキーボード等の入力装置３４は、ケーブル３５によって液晶表示装置２５内の入力装置インターフェース部２８に接続される。
【０００８】
電気機器本体３０では、制御部３３から出力された映像信号がスペクトラム拡散送受信部３２によってスペクトラム拡散変調された後アンテナ３１から液晶表示装置２５に対して送信される。液晶表示装置２５では、電気機器本体３０から送信された信号がアンテナ２６によって受信され、その受信された信号がスペクトラム拡散送受信部２７によってスペクトラム拡散復調されて元の映像信号となり、その映像信号に基づいた映像が液晶表示部２９によって表示される。
【０００９】
また、入力装置３４から出力される信号はケーブル３５を通って液晶表示装置２５内の入力装置インターフェース部２８に送られる。液晶表示装置２５では、入力装置インターフェース部２８に入力された信号がスペクトラム拡散送受信部２７に送られ、スペクトラム拡散送受信部２７によってスペクトラム拡散変調された後アンテナ２６から電気機器本体３０に対して送信される。電気機器本体３０では、液晶表示装置２５から送信された信号がアンテナ３１によって受信され、その受信された信号がスペクトラム拡散送受信部３２によってスペクトラム拡散復調されて元の信号となり、その信号に基づいた制御動作が制御部３３によって行われる。
【００１０】
液晶表示装置２５内のスペクトラム拡散送受信部２７は送信動作と受信動作を時分割して行っている。また、電気機器本体３０内のスペクトラム拡散送受信部３２も同様に送信動作と受信動作を時分割して行っている。これにより、液晶表示装置２５と電気機器本体３０の双方向無線通信が可能となっている。
【００１１】
なお、電気機器本体３０がＴＶ本体である場合には、入力装置３４は赤外線リモートコントローラになり、入力装置３４から液晶表示装置２５への信号送信は、ケーブル３５を介さず赤外線信号を用いた無線通信によって行われる。
【００１２】
図５に示すような液晶表示装置２５と電気機器本体３０とが双方向無線通信を行うシステム構成では、液晶表示装置２５と電気機器本体３０とがケーブルで接続されていないため可搬性に優れ、その上ケーブルの引きまわしが場所を占有することがないため作業空間の快適性に優れている。
【特許文献１】特開平９−１９１３０２号公報
【発明の開示】
【発明が解決しようとする課題】
【００１３】
しかしながら、図５に示すような液晶表示装置２５と電気機器本体３０とが双方向無線通信を行うシステム構成では、送信動作と受信動作を時分割して行っているので、通信レスポンスに問題があった。また、液晶表示装置２５と電気機器本体３０のいずれにおいてもスペクトラム拡散変調を行う変調回路とスペクトラム拡散復調を行う復調回路とから成るスペクトラム拡散送受信部を設ける必要があったため、回路構成が複雑になるという問題があった。
【００１４】
本発明は、上記問題点に鑑み、電気機器と双方向無線通信をレスポンス良く行う表示装置及びその表示装置と双方向無線通信を行う電気機器を提供することを目的とする。
【課題を解決するための手段】
【００１５】
上記目的を達成するために本発明に係る表示装置は、電気機器と双方向無線通信を行う表示装置であって、前記電気機器から送信される信号を受信して復調する受信部と、信号を変調して前記電気機器に送信する信号を生成する送信部とを備え、前記受信部の復調方式と前記送信部の変調方式とが異なるとともに、前記電気機器と全二重通信を行う。
【００１６】
このような構成によると、表示装置から電気機器に送られる信号の帯域と電気機器から表示装置に送られる信号の帯域のいずれかを小さくすることができるので、表示装置と電気機器との送受信における無線信号の帯域は全体として小さくなり、従来の構成（図５参照）では行えなかった全二重通信が行えるようになる。そして、全二重通信を行うことにより、電気機器と双方向無線通信をレスポンス良く行うことができる。また、時分割通信を行わないので、表示装置と電気機器のハンドシェークに用いる回路が不要となり、回路の簡素化を図ることができる。
【００１７】
また、一般に表示装置から電気機器に送られるデータの容量は電気機器から表示装置に送られるデータの容量に比べて小さいため、前記電気機器に送信する信号の帯域幅を前記電気機器から送信される信号の帯域幅より狭くするとよい。例えば、前記受信部の復調方式をスペクトラム拡散方式にし、前記送信部の変調方式をＦＳＫ（Frequency Shift Keying）方式或いはＡＳＫ（Amplitude Shift Keying）方式にするとよい。
【００１８】
また、前記受信部が、前記電気機器から送信される信号を周波数変換する周波数変換部と、前記周波数変換部の出力から前記電気機器に送信する信号の帯域成分を抽出する抽出部と、前記抽出部の出力を反転する反転部と、前記周波数変換部の出力と前記反転部の出力を加算する加算部と、前記加算部の出力を復調する復調部とを有するようにするとよい。
【００１９】
このような構成によると、前記電気機器に送信する信号の帯域成分が相殺された後に復調が行われるので、表示装置における送信信号と受信信号の混信を軽減することができる。
【００２０】
また、上記目的を達成するために本発明に係る電気機器は、表示装置と双方向無線通信を行う電気機器であって、前記表示装置から送信される信号を受信して復調する受信部と、信号を変調して前記表示装置に送信する信号を生成する送信部とを備え、前記受信部の復調方式と前記送信部の変方式とが異なるとともに、前記表示装置と全二重通信を行う。
【００２１】
このような構成によると、表示装置から電気機器に送られる信号の帯域と電気機器から表示装置に送られる信号の帯域のいずれかを小さくすることができるので、表示装置と電気機器との送受信における無線信号の帯域は全体として小さくなり、従来の構成（図５参照）では行えなかった全二重通信が行えるようになる。そして、全二重通信を行うことにより、表示装置と双方向無線通信をレスポンス良く行うことができる。また、時分割通信を行わないので、表示装置と電気機器のハンドシェークに用いる回路が不要となり、回路の簡素化を図ることができる。
【発明の効果】
【００２２】
本発明によると、電気機器と双方向無線通信をレスポンス良く行う表示装置及びその表示装置と双方向無線通信を行う電気機器を実現することができる。
【発明を実施するための最良の形態】
【００２３】
本発明の一実施形態について図面を参照して以下に説明する。本発明に係る表示装置及び電気機器の構成を図１に示す。
【００２４】
液晶表示装置１は、アンテナ２と、スペクトラム拡散受信部３と、液晶表示部４と、入力装置インターフェース部５と、ＦＳＫ送信部６とによって構成されている。また、電気機器本体７（ここでは、パーソナルコンピュータ本体とする）は、アンテナ８と、ＦＳＫ受信部９と、入力装置インターフェース部１０と、ＣＰＵ１１と、表示用制御部１２と、スペクトラム拡散送信部１３とによって構成されている。そして、マウスやキーボード等の入力装置１４は、ケーブル１５によって液晶表示装置１内の入力装置インターフェース部５に接続される。
【００２５】
電気機器本体７では、ＣＰＵ１１から出力された制御信号に基づいて表示用制御部１２が映像信号を生成する。表示用制御部１２から出力された映像信号がスペクトラム拡散送信部１３によってスペクトラム拡散変調された後アンテナ８から液晶表示装置１に対して送信される。液晶表示装置１では、電気機器本体７から送信された信号がアンテナ２によって受信され、その受信された信号がスペクトラム拡散受信部３によってスペクトラム拡散復調されて元の映像信号となり、その映像信号に基づいた映像が液晶表示部４によって表示される。
【００２６】
また、入力装置１４から出力される信号はケーブル１５を通って液晶表示装置１内の入力装置インターフェース部５に送られる。液晶表示装置１では、入力装置インターフェース部５に入力された信号がＦＳＫ送信部６に送られ、ＦＳＫ送信部６によってＦＳＫ変調された後アンテナ２から電気機器本体７に対して送信される。電気機器本体７では、液晶表示装置１から送信された信号がアンテナ８によって受信され、その受信された信号がＦＳＫ受信部９によってＦＳＫ復調されて元の信号となり、その信号が入力装置インターフェース部１０を経由してＣＰＵ１１に送られる。ＣＰＵ１１は、入力装置インターフェース部１０から送られてくる信号に基づいた制御動作を行う。
【００２７】
なお、電気機器本体７内の入力装置インターフェース部１０は、マウスやキーボード等の入力装置とのケーブル接続も可能であるので、入力装置１４は液晶表示装置１と電気機器本体７のいずれにでもケーブル接続することができる。また、電気機器本体７がＴＶ本体である場合には、入力装置１４は赤外線リモートコントローラになり、入力装置１４から液晶表示装置１或いは電気機器本体７への信号送信は、ケーブルを介さず赤外線信号を用いた無線通信によって行われる。
【００２８】
上記構成の液晶表示装置１と電気機器本体７との送受信における無線信号の周波数スペクトルは図２（ａ）に示すようになる。液晶表示装置１から電気機器本体７に送られるＦＳＫ変調信号１６の帯域（例えば７０ｋＨｚ）は、電気機器本体７から液晶表示装置１に送られるスペクトル拡散変調信号１７の帯域（例えば６ＭＨｚ〜２０ＭＨｚ）に比べて大幅に小さいため、液晶表示装置と電気機器本体との送受信における無線信号の帯域は全体として小さくなり、従来の構成（図５参照）では行えなかった全二重通信が行えるようになる。
【００２９】
このため、液晶表示装置１及び電気機器７は全二重通信を行っている。これにより、液晶表示装置１と電気機器本体７の双方向無線通信における通信レスポンスが良好になる。
【００３０】
なお、液晶表示装置１から電気機器本体７に送られる信号の帯域が電気機器本体から液晶表示装置に送られる信号の帯域に比べて大幅に小さければよいので、例えば液晶表示装置１内のＦＳＫ送信部６をＡＳＫ送信部に置き換え、電気機器本体７内のＦＳＫ受信部９をＡＳＫ受信部に置き換えてもよい。このように置き換えた場合の液晶表示装置１と電気機器本体７との送受信における無線信号の周波数スペクトルは図２（ｂ）に示すようになる。液晶表示装置１から電気機器本体７に送られるＡＳＫ変調信号１８の帯域は例えば２ｋＨｚであり、電気機器本体７から液晶表示装置１に送られるスペクトル拡散変調信号１９の帯域は例えば６ＭＨｚ〜２０ＭＨｚである。
【００３１】
そして、送信信号と受信信号の混信による液晶表示装置内妨害を軽減する観点から、スペクトラム拡散受信部３を図３に示す構成にすることが望ましい。図３に示すスペクトラム拡散受信部は、周波数変換部３ａと、送信帯域フィルタ３ｂと、反転器３ｃと、加算器３ｄと、復調部３ｅとによって構成されている。
【００３２】
周波数変換部３ａは、入力した信号をベースバンド信号にダウンコンバートする。周波数変換部３ａから出力されるベースバンド信号は二分配される。一方のベースバンド信号は加算器３ｄに送出される。もう一方のベースバンド信号は送信帯域フィルタ３ｂによってＦＳＫ変調信号１６（図２（ａ）参照）の帯域成分以外が除去され、さらに反転器３ｃによって反転された後、加算器３ｄに送出される。
【００３３】
加算器３ｄは、入力した２つの信号を加算する。これにより、ＦＳＫ変調信号１６（図２（ａ）参照）の帯域成分が相殺され、電気機器本体７から液晶表示装置１に送られるスペクトル拡散変調信号１７（図２（ａ）参照）の帯域成分のみが復調部３ｅによって復調される。したがって、液晶表示装置１における送信信号と受信信号の混信を軽減することができる。
【００３４】
また、電気機器本体７内のＦＳＫ受信部９も図３に示す構成にすることが望ましい。ただし、ＦＳＫ受信部９を図３に示す構成にする場合は、送信帯域フィルタ３ｂをスペクトル拡散変調信号１７（図２（ａ）参照）の帯域成分以外を除去するフィルタとする。これにより、電気機器本体７における送信信号と受信信号の混信を軽減することができる。
【００３５】
なお、上記実施形態では、電気機器本体がパーソナルコンピュータ本体である場合やＴＶ本体である場合について説明したが、本発明はこれに限定されることはなく、電気機器本体から表示装置に大容量のデータが無線伝送され、表示装置から電気機器本体に比較的小容量のデータが無線伝送されるシステムに適用することができる。
【図面の簡単な説明】
【００３６】
【図１】は、本発明に係る表示装置及び電気機器の構成を示す図である。
【図２】は、液晶表示装置と電気機器本体との送受信における無線信号の周波数スペクトルを示す図である。
【図３】は、スペクトラム拡散受信部の一構成例を示す図である。
【図４】は、有線通信を行う従来の表示装置及び電気機器本体を示す図である。
【図５】は、無線通信を行う従来の表示装置及び電気機器本体を示す図である。
【符号の説明】
【００３７】
１    液晶表示装置
２、８    アンテナ
３    スペクトラム拡散受信部
４    液晶表示部
５、１０    入力装置インターフェース部
６    ＦＳＫ送信部
７    電気機器本体
９    ＦＳＫ受信部
１１    ＣＰＵ
１２    表示用制御部
１３    スペクトラム拡散送信部
【図１】
2005244837.tif 000003
【図２】
2005244837.tif 000004
【図３】
2005244837.tif 000005
【図４】
2005244837.tif 000006
【図５】
2005244837.tif 000007